(57)【特許請求の範囲】
【請求項１】
上下２段式サポートを有する車両用カップホルダであって、
前記上段サポートは軟質材からなり、固定されており、押されたときに変形可能であり、
前記下段サポートは、樹脂成形板からなり、前記上段サポートより収容部内への張出量が大とされており、張出位置と押し下げ位置との間で回動可能であり、押し下げ位置から張出位置側に付勢されており、
前記上段サポートは張出位置から押し下げ位置側に変形したときに前記下段サポートにより押し下げ位置から張出位置側に押される、
車両用カップホルダ。
【請求項２】
前記下段サポートは、上面からなるガイド面と、該ガイド面から凹み内側に前記上段サポートを受け入れることが可能な凹部とを、有する請求項１記載の車両用カップホルダ。
【請求項３】
前記下段サポートのガイド面は前記凹部の左右両側にもある請求項２記載の車両用カップホルダ。
【発明の詳細な説明】
【０００１】
【発明の属する技術分野】
本発明は、車両用カップホルダに関する。
【０００２】
【従来の技術】
従来、以下の▲１▼、▲２▼、▲３▼の代表的なカップホルダが知られている。
▲１▼図１４に示すように、カップＣを固定するために設けられた１枚の変形しない樹脂材からなるサポート３を、ホルダ本体２に張出位置と押し下げ位置との間で回動可能に取り付けたカップホルダ１。
▲２▼カップを固定するために設けられた１枚の変形可能なゴム材からなるサポートを、ホルダ本体に取り付けたカップホルダ。
▲３▼特開平１１−３４８６４１号公報では、多種多様なカップＣの外径に対応できるように、２枚の変形しない樹脂材からなるサポート３ａ、３ｂを、ホルダ本体２に張出位置と押し下げ位置との間で同軸まわりに回動可能に取り付けたカップホルダ１。
【０００３】
【発明が解決しようとする課題】
従来カップホルダには、それぞれ以下の課題（問題点）がある。
▲１▼の課題
（ａ）２枚のサポートに比べて、対応できるカップＣの径が少ない。
（ｂ）カップホルダ１に収納していたカップＣを取り出すとき、押し下げ位置にあったサポート３がバネ力により張出位置まで戻り、ホルダ本体２に当たり打音が発生する。
▲２▼の課題
（ａ）２枚のサポートに比べて、対応できるカップの径が少ない。
（ｂ）大径カップを収納し、サポートが長時間押し曲げられると、サポートに形状変化（へたり）が生じ元の形状に戻らない。
▲３▼の課題
（ａ）カップホルダ１に収容するカップＣの種類によっては、図１５に示すように、カップＣの底面外周に折り返し部５が設けられている。そのため、カップＣをカップホルダ１に挿入する時に、カップＣの折り返し部５が２枚のサポート３ａ、３ｂの間の隙間に入り込み、引っ掛かるおそれがある。
（ｂ）カップホルダ１に収納していたカップＣを取り出すとき、押し下げ位置にあった下段サポート３ｂがバネ力により張出位置まで戻ったときに、上段サポート３ａ、または、ホルダ本体２に当たり打音が発生する。
（ｃ）カップホルダ１に収納していたカップＣを取り出すとき、２枚のサポート３ａ、３ｂにより収納部の開口が狭くなる。そのため、カップの取り出しが困難である。
本発明の目的は、多種多様な外径のカップに対応でき、サポート同士の打音の発生を防止できる車両用カップホルダを提供することにある。
本発明のもう一つの目的は、サポートがカップにより押し曲げられた場合でも、サポート形状が従来より復元する車両用カップホルダを提供することにある。本発明のさらにもう一つの目的は、カップの挿入、取り出しが容易な車両用カップホルダを提供することにある。
【０００４】
【課題を解決するための手段】
上記目的を達成する本発明はつぎの通りである。
（１）  上下２段式サポートを有する車両用カップホルダであって、
前記上段サポートは軟質材からなり、固定されており、押されたときに変形可能であり、
前記下段サポートは、樹脂成形板からなり、前記上段サポートより収容部内への張出量が大とされており、張出位置と押し下げ位置との間で回動可能であり、押し下げ位置から張出位置側に付勢されており、
前記上段サポートは張出位置から押し下げ位置側に変形したときに前記下段サポートにより押し下げ位置から張出位置側に押される、
車両用カップホルダ。
（２）  前記下段サポートは、上面からなるガイド面と、該ガイド面から凹み内側に前記上段サポートを受け入れることが可能な凹部とを、有する（１）記載の車両用カップホルダ。
（３）  前記下段サポートのガイド面は前記凹部の左右両側にもある（２）記載の車両用カップホルダ。
【０００５】
上記（１）〜（３）の車両用カップホルダでは、上下２段式サポートであるので、１枚のサポートのみの場合に比べてより多くの径に対応できる他、上段サポートの変形と下段サポートの回動によって、それぞれのサポートの対応領域において任意の径に対応でき広い範囲の任意のカップ径に対応できる。
また、上段サポートは軟質材からなるので、下段サポートがはね上げられて上段サポートに当たった時の打音の発生を防止できる。
また、下段サポートは樹脂成形板からなるので、上段サポートが長時間押し曲げられた場合でも、上段サポートは下段サポートにより押し下げ位置から張出位置側に押される。そのため、上段サポートが長時間押し曲げられた場合でも、上段サポートに形状変化（へたり）は起こりにくい。
また、カップを収納部から取り出す際に、上段サポートを変形させて取り出すことができる。そのため、上段サポートが変形しない樹脂材からなる場合に比べて、収納部の開口が広くなり、カップの取り出しが容易である。
上記（３）の車両用カップホルダでは、下段サポートのガイド面が凹部の左右両側にもあるので、カップ挿入時に、カップが上段サポートと下段サポートとの間の隙間に入り込み引っ掛かりにくい。
【０００６】
【発明の実施の形態】
図１〜図１０は、本発明実施例１の車両用カップホルダを示しており、図１１〜図１３は、本発明実施例２の車両用カップホルダを示している。
本発明実施例１と本発明実施例２に共通な部分には、両実施例にわたって同じ符号を付してある。
まず、本発明実施例１と本発明実施例２に共通な部分を、たとえば、図１〜図１０を参照して、説明する。
【０００７】
本発明実施例の車両用カップホルダは、車両の内装部材に設けられており、たとえば、コンソールアッパ面に設けられる。ただし、本発明実施例の車両用カップホルダは、インスツルメントパネル等の車両の他の内装部材に設けられていてもよい。
本発明実施例の車両用カップホルダ１０は、図１に示すように、ホルダ本体２０と、ホルダ本体２０に取り付けられる上段サポート３０と、ホルダ本体２０に取り付けられる下段サポート４０とを、有する。
【０００８】
ホルダ本体２０は、たとえば樹脂製である。ホルダ本体２０は、少なくとも１つの（図示例では２つの）カップＣが収納可能な収納部２１を有している。収納部２１は、上方に開口している。
ホルダ本体２０には、サポート固定本体２２が設けられている。サポート固定本体２２は、ホルダ本体２０と別体に形成されてホルダ本体２０に着脱可能に取り付けられる。ただし、サポート固定本体２２は、ホルダ本体２０と一体に形成されていてもよい。サポート固定本体２２には、上段サポート３０と下段サポート４０が取付けられる。
【０００９】
サポート固定本体２２は、図３に示すように、上壁と側壁と底壁を有しており、収納部２１側に開口している。サポート固定本体２２は、収納部２１の一側壁から収納部外側に凹む受入れ部２２ａと、上段サポート３０が取り付けられる位置決め固定突起２２ｂと、下段サポート４０が取り付けられる組付用穴２２ｃとを、有する。
受入れ部２２ａは、サポート固定本体２２の上壁と側壁と底壁とで形成される内側部分である。
位置決め固定突起２２ｂは、受入れ部２２ａの上面に設けられている。位置決め固定突起２２ｂは、受入れ部２２ａの上面から下面側に突出している。位置決め固定突起２２ｂは、複数設けられていてもよい（本発明図示例では、２個設けられている場合を示している）。
組付用穴２２ｃは、サポート固定本体２２の側壁のうち互いに対向する側壁に形成されている。組付用穴２２ｃは、図２に示すように、位置決め固定突起２２ｂよりも収納部２１側に形成されている。
【００１０】
上段サポート３０は、押されたときに変形可能な板状のゴム材からなる。上段サポート３０には、図３に示すように、貫通穴３１が形成されている。貫通穴３１は、ホルダ本体２０の位置決め固定突起２２ｂと同数形成され、位置決め固定突起２２ｂが挿通される。貫通穴３１に挿通された位置決め固定突起２２ｂを熱かしめすることにより、上段サポート３０は、ホルダ本体２０に固定される。
上段サポート３０は、カップＣにより押されておらず、収納部２１内側に張り出す張出位置にあるとき、収納部２１へのカップＣの出し入れ方向と直交またはほぼ直交する方向に延びている（図２参照）。
【００１１】
下段サポート４０は、弾性変形しない板状の樹脂材からなる。下段サポート４０は、ホルダ本体１０に、張出位置と押し下げ位置との間で回動可能に支持される。ここで、張出位置とは、図２に示すように、下段サポート４０が、カップＣの収納部２１への出し入れ方向と直交またはほぼ直交する方向に延び、上段サポート３０と接触する位置である。また、押し下げ位置とは、図８に示すように、下段サポート４０が、カップＣの収納部２１への出し入れ方向と平行またはほぼ平行な方向に延び、ホルダ本体２０の受入れ部２２ａ内にある位置である。
【００１２】
下段サポート４０は、常時、付勢バネ５０により、押し下げ位置から張出位置側に回動付勢されている。下段サポート４０は、張出位置にあるとき、上段サポート３０と接触しておりホルダ本体２０とは接触しない。
下段サポート４０が張出位置にあるときの、下段サポート４０の収納部２１内への張出量は、上段サポートが張出位置にあるときの、上段サポート３０の収納部２１内への張出量より大とされている。
下段サポート４０には、図３に示すように、上面からなるガイド面４１と、ホルダ本体２０の組付用穴２２ｃに回動可能に支持される突起部４２と、上面から凹む凹部４３とが設けられている。ただし、凹部４３は、設けられていなくてもよい。
突起部４２は、上下方向と直交する方向に延びている。突起部４２が組付用穴２２ｃに回動可能に支持されることにより、下段サポート４０は、ホルダ本体２０に回動可能に支持される。
【００１３】
ここで、収納部２１に収納されるカップＣの径と、上段サポート３０と、下段サポート４０との位置関係を説明する。
収納部２１にカップＣが収納されていない場合、図２に示すように、上段サポート３０と下段サポート４０は張出位置にある。上段サポート３０と下段サポート４０とは接触している。
【００１４】
収納部２１に外径が小さい、たとえば１９０ｍｌ容量のカップＣを収納した場合、図４に示すように、上段サポート３０と下段サポート４０は張出位置にある。カップＣの側面は、収納部２１の側壁２１ａと、下段サポート４０とに接触している。
【００１５】
収納部２１にさらに大きい外径を有するカップ、たとえば３５０ｍｌ容量のカップＣを収納した場合、図５に示すように、上段サポート３０は張出位置にあり、下段サポート４０はカップＣによって押し下げ位置側に押し下げられている。カップＣの側面は、収納部２１の側壁２１ａと、上段サポート３０と、下段サポート４０とに接触している。
【００１６】
収納部２１にさらに大きい外径を有するカップ、たとえば５００ｍｌ容量のカップＣを収納した場合、図８に示すように、上段サポート３０は変形して押し下げ位置側に押し下げられ、下段サポート４０は押し下げ位置側に押し下げられている。カップＣの側面は、収納部２１の側壁２１ａと、上段サポート３０と、下段サポート４０とに接触している。
【００１７】
つぎに、本発明実施例の作用を説明する。
上段サポート３０と下段サポート４０からなる上下２段式サポートであるので、１枚のサポートのみの場合に比べて多種多様な外径のカップに対応できる他、上段サポート３０の変形と下段サポート４０の回動によって、それぞれのサポートの対応領域において任意の径に対応でき広い範囲の任意のカップ径に対応できる。
また、上段サポート３０がゴム材からなるので、下段サポート４０が付勢バネ５０の付勢力によりはね上げられて上段サポート３０に当たった時の打音の発生を防止できる。
【００１８】
また、下段サポート４０は弾性変形しない板状の樹脂材からなるので、上段サポート３０がカップＣにより長時間押し曲げられた場合でも、カップＣを収納部２１から取り外すと、上段サポート３０は下段サポート４０により押し下げ位置から張出位置側に押される（図１０参照）。そのため、上段サポート３０が長時間押し曲げられた場合でも、上段サポートに形状変化（へたり）は起こりにくい。
【００１９】
さらに、上段サポート３０がゴム材からなるので、上段サポート３０でカップＣを押さえていれば、走行時におけるカップＣの振動が抑制される。
また、上段サポート３０がゴム材からなるので、図９に示すように、カップＣを収納部２１から取り出す際に、上段サポート３０を変形させて取り出すことができる。そのため、上段サポート３０が収納部２１の開口を狭くすることはない。
【００２０】
つぎに、本発明の各実施例に特有な部分を説明する。
本発明の実施例１では、図１〜図１０に示すように、下段サポート４０に凹部４３が設けられている場合を示している。凹部４３は、内側に上段サポート３０を受け入れ可能である。下段サポート４０の凹部４３の底面は、張出位置にあるとき、上段サポート３０の裏面に当接する。
ガイド面４１は、凹部４３の、下段サポート４０の張出方向先端側と、凹部４３の左右両側にある。
【００２１】
本発明実施例１の作動を説明する。
図６に示すように、大径（たとえば、５００ｍｌ容量）のカップＣを収納部２１に収納する時、カップＣの底面が下段サポート４０の上面からなるガイド面４１に接触する。
カップＣを収納部２１内側に移動させると、図７に示すように、カップＣの底面は、ガイド面４１上を滑りながら下方に移動する。そのとき、上段サポート３０も、下段サポート４０とともに押し下げ位置側に押し曲げられる。
さらに、カップＣの底面が収納部２１の底面に接触するまでカップＣを収納部２１内側に移動させることにより、図８に示すように、カップＣは収納部２１内に収納される。
【００２２】
本発明実施例１の作用を説明する。
本発明実施例１では、カップＣを収納部２１に収納するとき、カップＣの底面が凹部４３内に入り込むことなくガイド面４１上を滑るので、カップＣの底面外周に折り返し部５０が設けられている場合でも、カップＣの折り返し部５０が上段サポート３０と下段サポート４０との間の隙間に入り込み、引っ掛かりにくい。そのため、カップＣに折り返し部５０が設けられている場合でも、カップＣを収納部２１に慎重に挿入する必要はない。
【００２３】
本発明の実施例２では、図１１〜図１３に示すように、下段サポート４０に凹部４３が設けられていない場合を示している。下段サポート４０の上面４１は、張出位置にあるとき、上段サポート３０の裏面に当接する。
【００２４】
本発明実施例２の作動を説明する。
図１１に示すように、大径（たとえば、５００ｍｌ容量）のカップＣを収納部２１に収納する時、カップＣの底面が上段サポート３０の上面に接触する。
カップＣを収納部２１内側に移動させると、図１２に示すように、カップＣの底面は、上段サポート３０上を滑りながら下方に移動する。そのとき、下段サポート４０も、上段サポート３０とともに押し下げ位置側に押し下げられる。
さらに、カップＣを収納部２１内側に移動させると、図１３に示すように、カップＣの底面は上段サポート３０から下段サポート４０の上面４１に移り、下段サポート４０上を滑りながら下方に移動する。
さらに、カップＣの底面が収納部２１の底面に接触するまでカップＣを収納部２１内側に移動させることにより、カップＣは収納部２１内に収納される。
【００２５】
本発明実施例２の作用を説明する。
本発明実施例２では、カップＣの底面外周に折り返し部５０が設けられている場合でも、カップＣの折り返し部５０が上段サポート３０と下段サポート４０との間の隙間に入り込み、引っ掛かるおそれはない。そのため、カップＣに折り返し部５０が設けられている場合でも、カップＣを収納部２１に慎重に挿入する必要はない。
【００２６】
【発明の効果】
請求項１〜請求項３記載の車両用カップホルダによれば、上下２段式サポートであるので、１枚のサポートのみの場合に比べてより多くの径に対応できる他、上段サポートの変形と下段サポートの回動によって、それぞれのサポートの対応領域において任意の径に対応でき広い範囲の任意のカップ径に対応できる。
また、上段サポートは軟質材からなるので、下段サポートがはね上げられて上段サポートに当たった時の打音の発生を防止できる。
さらに、下段サポートは樹脂成形板からなるので、上段サポートが長時間押し曲げられた場合でも、上段サポートは下段サポートにより押し下げ位置から張出位置側に押される。そのため、上段サポートが長時間押し曲げられた場合でも、上段サポートに形状変化（へたり）は起こりにくい。
また、カップを収納部から取り出す際に、上段サポートを変形させて取り出すことができる。そのため、上段サポートが変形しない樹脂材からなる場合に比べて、収納部の開口が広くなり、カップの取り出しが容易である。
請求項３記載の車両用カップホルダによれば、下段サポートのガイド面が凹部の左右両側にもあるので、カップ挿入時に、カップが上段サポートと下段サポートとの間の隙間に入り込み、引っ掛かりにくい。
【図面の簡単な説明】
【図１】本発明実施例１の車両用カップホルダの斜視図である。
【図２】図１のＡ−Ａ断面図である。
【図３】本発明実施例１の車両用カップホルダの、サポート固定本体と、上段サポートと、下段サポートの、分解斜視図である。
【図４】本発明実施例１の車両用カップホルダの、カップが収納されたときの断面図である。
【図５】本発明実施例１の車両用カップホルダの、カップが収納されたときの断面図である。
【図６】本発明実施例１の車両用カップホルダの、カップ収納時にカップの底面がサポートに接触したときを示す斜視図である。
【図７】本発明実施例１の車両用カップホルダの、カップ収納時にカップの底面が下段サポートのガイド面に沿って移動する状態を示す断面図である。
【図８】本発明実施例１の車両用カップホルダの、カップが収納されたときの断面図である。
【図９】本発明実施例１の車両用カップホルダの、カップを取り出す際、上段サポートが張出位置よりも上方にたわみ、開口部を広くしている状態を示す断面図である。
【図１０】本発明実施例１の車両用カップホルダの下段サポートが、カップにより押し曲げられていた上段サポートを、張出位置側に押し上げている状態を示す断面図である。
【図１１】本発明実施例２の車両用カップホルダの、カップ収納時にカップの底面が上段サポートに接触した状態を示す断面図である。
【図１２】本発明実施例２の車両用カップホルダの、カップ収納時にカップの底面が上段サポート上を移動する状態を示す断面図である。
【図１３】本発明実施例２の車両用カップホルダの、カップ収納時にカップの底面が下段サポート上を移動する状態を示す断面図である。
【図１４】従来の車両用カップホルダの、サポートが１枚からなる場合を示す斜視図である。
【図１５】従来の車両用カップホルダの、サポートが２枚からなる場合を示す断面図である。
【符号の説明】
１０  車両用カップホルダ
２０  ホルダ本体
２１  収納部
２２  サポート固定本体
３０  上段サポート
４０  下段サポート
４１  ガイド面
４３  凹部
５０  折り返し部
Ｃ  カップ
【図１】
0003660243.tif 000002
【図２】
0003660243.tif 000003
【図３】
0003660243.tif 000004
【図４】
0003660243.tif 000005
【図５】
0003660243.tif 000006
【図６】
0003660243.tif 000007
【図７】
0003660243.tif 000008
【図８】
0003660243.tif 000009
【図９】
0003660243.tif 000010
【図１０】
0003660243.tif 000011
【図１１】
0003660243.tif 000012
【図１２】
0003660243.tif 000013
【図１３】
0003660243.tif 000014
【図１４】
0003660243.tif 000015
【図１５】
0003660243.tif 000016